(57)【要約】【課題】Ａ点灯状態からＢ点灯状態への切換えがなされる場合およびその逆の切換えがなされる場合においても、両方のランプが点灯していない期間をなくす【解決手段】Ａ点灯状態からＢ点灯状態への切換えがなされる場合およびその逆の切換えがなされる場合に作動する遅延消灯手段を備える。前記遅延消灯手段によって消灯がなされるべき蛍光ランプの消灯タイミングを遅らせる。【選択図】    図１
2004221040.tif 000002
【特許請求の範囲】
【請求項１】
複数の蛍光ランプＡ・Ｂを備え、前記蛍光ランプＡＢが共に点灯するＡＢ点灯状態・前記蛍光ランプＡのみが点灯するＡ点灯状態・前記蛍光ランプＢのみが点灯するＢ点灯状態・前記蛍光ランプＡＢが共に消灯する無点灯状態を任意に切換える選択点灯回路を備え、前記Ａ点灯状態から前記Ｂ点灯状態への切換えがなされる場合およびその逆の切換えがなされる場合に作動する遅延消灯手段を備え、前記遅延消灯手段によって消灯がなされるべき蛍光ランプの消灯タイミングを遅らせることを特徴とする蛍光灯点灯装置。
【発明の詳細な説明】
【０００１】
【発明の属する技術分野】
本発明は複数の蛍光ランプを備えた蛍光灯点灯装置に関するものである。
【０００２】
【従来の技術】
従来の技術は、図１（本発明説明にも共用）のように複数の蛍光ランプＡ・Ｂを備え、前記蛍光ランプＡＢが共に点灯するＡＢ点灯状態・前記蛍光ランプＡのみが点灯するＡ点灯状態・前記蛍光ランプＢのみが点灯するＢ点灯状態・前記蛍光ランプＡＢが共に消灯する無点灯状態を任意に切換える選択点灯回路３を備える。選択点灯回路３は、蛍光ランプＡを点灯させる点灯回路３１、蛍光ランプＢを点灯させる点灯回路３２、点灯状態を選択する信号（点灯選択信号Ｃ）‘を送る信号送信回路３４、点灯状態を選択する信号（点灯選択信号Ｃ）を受信して、切換信号Ａ・Ｂにより点灯回路３１・３２を制御する制御回路３３から構成される。ただし、従来の技術は、前記Ａ点灯状態から前記Ｂ点灯状態への切換えがなされる場合およびその逆の切換えがなされる場合に、両方のランプが点灯していない期間があつた。
上記動作について、図３を用いて補足説明する。（１）はＢ点灯状態からＡ点灯状態になる場合、（２）はＡ点灯状態からＢ点灯状態になる場合の切換信号とランプの状態を示している。（１）のＢ点灯状態からＡ点灯状態になる場合、点灯選択信号Ｃにより切換信号Ａ・Ｂを切換えるとランプＡは消灯→予熱→点灯、ランプＢは点灯→消灯になり、期間１（ランプＡの予熱期間：１秒間）の間、両方のランプが点灯していない。（２）のＡ点灯状態からＢ点灯状態になる場合、点灯選択信号Ｃにより切換信号Ａ・Ｂを切換えるとランプＢは消灯→予熱→点灯、ランプＡは点灯→消灯になり、期間１（ランプＢの予熱期間：１秒間）の間、両方のランプが点灯していない。
【０００３】
【発明が解決しようとする課題】
前記従来技術においては、Ａ点灯状態からＢ点灯状態への切換えがなされる場合およびその逆の切換えがなされる場合に、両方のランプが点灯していない期間があった。
本発明の目的は、Ａ点灯状態からＢ点灯状態への切換えがなされる場合およびその逆の切換えがなされる場合においても、両方のランプが点灯していない期間をなくすことである。
【０００４】
【課題を解決するための手段】
本発明は、複数の蛍光ランプＡ・Ｂ  を備える。前記蛍光ランプＡＢが共に点灯するＡＢ点灯状態・前記蛍光ランプＡのみが点灯するＡ点灯状態・前記蛍光ランプＢのみが点灯するＢ点灯状態・前記蛍光ランプＡＢが共に消灯する無点灯状態を任意に切りかえる選択点灯回路を備える。前記Ａ点灯状態から前記Ｂ点灯状態への切換えがなされる場合およびその逆の切換えがなされる場合に作動する遅延消灯手段を備える。前記遅延消灯手段によって消灯がなされるべき蛍光ランプの消灯タイミングを遅らせる。
【０００５】
【発明の実施の形態】
本発明の実施形態について、図１・図２を用いて説明する。回路構成は従来技術と同様な構成で図１のようになる。複数の蛍光ランプＡ・Ｂを備え、前記蛍光ランプＡＢが共に点灯するＡＢ点灯状態．前記蛍光ランプＡのみが点灯するＡ点灯状態・前記蛍光ランプＢのみが点灯するＢ点灯状態・前記蛍光ランプＡＢが共に消灯する無点灯状態を任意に切りかえる選択点灯回路３を備える。選択点灯回路３は、蛍光ランプＡを点灯させる点灯回路３１、蛍光ランプＢを点灯させる点灯回路３２、点灯状態を選択する信号（点灯選択信号Ｃ）を送る信号送信回路３４、点灯状態を選択する信号（点灯選択信号Ｃ）を受信して、切換信号Ａ・Ｂにより点灯回路３１・３２を制御する制御回路３３から構成される。ただし、前記Ａ点灯状態から前記Ｂ点灯状態への切換えがなされる場合およびその逆の切換えがなされる場合に作動する遅延消灯手段を制御回路３３に備え、前記遅延消灯手段によって消灯がなされるべき蛍光ランプの消灯タイミングを遅らせる。
上記遅延消灯手段について、図２を用いて説明する。（１）はＢ点灯状態からＡ点灯状態になる場合、（２）はＡ点灯状態からＢ点灯状態になる場合の切換信号とランプの状態を示している。（１）のＢ点灯状態からＡ点灯状態になる場合、点灯選択信号Ｃにより切換信号Ａを切換えるとランプＡは消灯→予熱→点灯となる。切換信号Ｂは点灯選択信号Ｃから期間１（ランプＡの予熱期間：１秒間）を経過後に切換え、ランプＢを点灯→消灯にする。（２）のＢ点灯状態からＡ点灯状態になる場合、点灯選択信号Ｃにより切換信号Ｂを切換えるとランプＢは消灯→予熱→点灯となる。切換信号Ａは点灯選択信号Ｃから期間１（ランプＢの予熱期間：１秒間）を経過後に切換え、ランプＡを点灯→消灯にする。上記遅延消灯手段の具体的な一実施例について図４・図５を用いて説明する。
【０００６】
図４は点灯選択信号Ｃによる点灯状態の変化をまとめた図であり、それぞれの点灯状態に点灯状態コード（ＮＭ）を設定する。
ＡＢ点灯状態点灯状態コード：ＮＭ＝１１
Ａ点灯状態点灯状態コード：ＮＭ＝１０
Ｂ点灯状態点灯状態コード：ＮＭ＝０１
無点灯状態点灯状態コード：ＮＭ＝００
図５は上記遅延消灯手段のフローチャートを示す。
制御回路３３の中に旧モニターメモリＸ１と新モニターメモリＸ２を持たせ、下記に示すように動作させる。
（１）初期設定として旧モニターメモリ×１と新モニターメモリ×裁こ“００”を設定する。
（２）点灯選択信号Ｃを待ち、うけない場合は点灯選択信号Ｃを待つ。
（３）点灯選択信号Ｃをうけない場合は、点灯選択信号に対応した点灯状態コードを新モニターメモリＸ２に入れる
（４）旧モニターメモリ×Ｌと新モニターメモリＸ２に対応したサブルーチンを動作させる。
（５）旧モニターメモリ×１の点灯状態コードを新モニターメモリＸ２の点灯状態コードに更新する。
上記遅延消灯手段のフローチャートの中にある１秒間の経過を待ってランプを消灯する（４ランプ遅延消灯）動作について補足説明する。制御回路３３の中にタイマー回路を持たせ、点灯選択信号Ｃをうけた時間Ｔ（Ｔ＝０）からカウントし、１秒間のカウントを行った後に切換信号を切換える指令を出す設定にする。
【０００７】
【発明の効果】
本発明によりＡ点灯状態から  Ｂ点灯状態への切換えがなされる場合およびその逆の切換えがなされる場合においても、両方のランプが点灯していない期間をなくすことができる蛍光灯点灯装置が得られる。
【図面の簡単な説明】
【図１】本発明の回路構成図である。
【図２】本発明の切換信号とランプの状態を示す図である。
【図３】従来技術の切換信号とランプの状態を示す図である。
【図４】本発明の点灯選択信号Ｃによる点灯状態の変化をまとめた図である。
【図５】本発明の遅延消灯手段のフローチャートである。
【符号の説明】
１：ランプＡ２：ランプＢ３：選択点灯回路４：商用電源
【図１】
2004221040.tif 000003
【図２】
2004221040.tif 000004
【図３】
2004221040.tif 000005
【図４】
2004221040.tif 000006
【図５】
2004221040.tif 000007